(57)【要約】【課題】電子ペン用帳票に記入された情報の一部又は全部を、当該電子ペン用帳票上での電子ペンの操作により、容易に消去することが可能な消去処理システムを提供する。【解決手段】消去処理システム１００において、利用者は、描画エリアと、描画項目及び消去項目から構成される項目選択エリアとを有する電子ペン用帳票に電子ペンで記入を行う。サーバ５は、電子ペン１０から記入情報を取得し、座標テーブル１０３に基づいて、描画チェックマークの特定及び描画ストロークの抽出と、消去チェックマークの特定及び消去ストロークの抽出とを行う。そして、サーバ５は、消去ストロークに含まれる描画ストロークを対象ストロークと特定する。さらに、サーバ５は、消去ストロークに基づいて、対象ストロークの一部又は全部を、消去の対象である破棄ストロークと特定する。そして、サーバ５は、破棄ストロークのデータを消去する。【選択図】図１２
2007102403.tif 000002
【特許請求の範囲】
【請求項１】
電子ペンにより認識可能なドットパターンが印刷された電子ペン用帳票に記入された情報の一部又は全部を消去する消去処理装置であって、
前記帳票は、図形が記入される描画エリアと、図形を構成する描画ストロークを記入することを示す描画項目及び前記描画ストロークを消去するための消去ストロークを記入することを示す消去項目とから構成される項目選択エリアとを有しており、
前記描画エリアと、前記項目選択エリアを構成する前記描画項目及び前記消去項目とに対応付けて、前記ドットパターン上のそれぞれの位置座標を座標情報として記憶する座標情報記憶手段と、
前記電子ペンにより、前記描画エリア及び前記項目選択エリアに記入された記入情報を取得する記入情報取得手段と、
前記座標情報及び前記記入情報に基づいて、前記描画項目に記入されたチェックマークを描画チェックマークとして特定する描画チェックマーク特定手段と、
前記座標情報及び前記記入情報に基づいて、前記描画チェックマークが記入された後、前記描画エリアに記入されたストロークを描画ストロークとして抽出する描画ストローク抽出手段と、
前記座標情報及び前記記入情報に基づいて、前記消去項目に記入されたチェックマークを消去チェックマークとして特定する消去チェックマーク特定手段と、
前記座標情報及び前記記入情報に基づいて、前記消去チェックマークが記入された後、前記描画エリアに記入されたストロークを消去ストロークとして抽出する消去ストローク抽出手段と、
前記消去ストローク内に、一部又は全部が含まれている前記描画ストロークが存在するか否かを判定する描画ストローク存在判定手段と、
前記描画ストローク存在判定手段が存在すると判定した場合に、前記描画ストロークを対象ストロークと特定する対象ストローク特定手段と、
前記対象ストローク及び前記消去ストロークに基づいて、前記対象ストロークの一部又は全部を、前記図形に必要な認識ストロークと特定する認識ストローク特定手段と、
前記対象ストローク及び前記消去ストロークに基づいて、前記対象ストロークの一部又は全部を、消去する対象である破棄ストロークと特定する破棄ストローク特定手段と、
前記破棄ストロークを消去する破棄ストローク消去手段と、を備えることを特徴とする消去処理装置。
【請求項２】
前記対象ストローク特定手段は、前記描画ストローク存在判定手段が存在すると判定した場合に、前記消去ストロークよりも前に記入された前記描画ストロークのみを対象ストロークと特定することを特徴とする請求項１に記載の消去処理装置。
【請求項３】
前記対象ストロークが開始する位置を示す開始点を特定する開始点特定手段と、
前記対象ストロークが終了する位置を示す終了点を特定する終了点特定手段と、
前記開始点及び前記終了点に基づいて、前記消去ストローク内に前記対象ストロークの全部が内包されるか又は前記対象ストロークの一部が内包されるかを判定する対象ストローク内包判定手段をさらに備え、
前記対象ストローク内包判定手段が、前記消去ストローク内に前記対象ストロークの全部が内包されると判定した場合に、前記破棄ストローク特定手段は、当該描画ストロークの全部を破棄ストロークと特定することを特徴とする請求項１又は２に記載の消去処理装置。
【請求項４】
前記対象ストローク内包判定手段が、前記消去ストローク内に前記対象ストロークの一部が内包されると判定した場合に、前記消去ストローク及び前記対象ストロークの重複点を特定する重複点特定手段と、
前記重複点に基づいて、前記対象ストロークを複数の分割ストロークに分割する分割手段と、をさらに備え、
前記認識ストローク特定手段は、前記消去ストローク内に内包されない前記分割ストロークを認識ストロークに特定し、
前記消去ストローク特定手段は、前記消去ストローク内に内包される前記分割ストロークを消去ストロークに特定することを特徴とする請求項３に記載の消去処理装置。
【請求項５】
前記認識ストロークを記憶する認識ストローク記憶手段をさらに備え、
前記認識ストローク記憶手段は、前記認識ストロークに特定された１つ以上の分割ストロークを記憶することを特徴とする請求項４に記載の消去処理装置。
【請求項６】
前記描画ストローク抽出手段は、前記描画チェックマークが記入された後であって、且つ、前記消去チェックマークが記入される前に、前記描画エリアに記入されたストロークを描画ストロークとして抽出し、
前記消去ストローク抽出手段は、前記消去チェックマークが記入された後であって、且つ、前記描画チェックマークが記入される前に、前記描画エリアに記入されたストロークを消去ストロークとして抽出することを特徴とする請求項１乃至５のいずれか一項に記載の消去処理装置。
【請求項７】
電子ペンにより認識可能なドットパターンが印刷された電子ペン用帳票に記入された情報の一部又は全部を消去するコンピュータにより実行されるプログラムであって、
前記帳票は、図形が記入される描画エリアと、図形を構成する描画ストロークを記入することを示す描画項目及び前記描画ストロークを消去するための消去ストロークを記入することを示す消去項目とから構成される項目選択エリアとを有しており、
前記描画エリアと、前記項目選択エリアを構成する前記描画項目及び前記消去項目とに対応付けて、前記ドットパターン上のそれぞれの位置座標を座標情報として記憶する座標情報記憶手段、
前記電子ペンにより、前記描画エリア及び前記項目選択エリアに記入された記入情報を取得する記入情報取得手段、
前記座標情報及び前記記入情報に基づいて、前記描画項目に記入されたチェックマークを描画チェックマークとして特定する描画チェックマーク特定手段、
前記座標情報及び前記記入情報に基づいて、前記描画チェックマークが記入された後、前記描画エリアに記入されたストロークを描画ストロークとして抽出する描画ストローク抽出手段、
前記座標情報及び前記記入情報に基づいて、前記消去項目に記入されたチェックマークを消去チェックマークとして特定する消去チェックマーク特定手段、
前記座標情報及び前記記入情報に基づいて、前記消去チェックマークが記入された後、前記描画エリアに記入されたストロークを消去ストロークとして抽出する消去ストローク抽出手段、
前記消去ストローク内に、一部又は全部が含まれている前記描画ストロークが存在するか否かを判定する描画ストローク存在判定手段、
前記描画ストローク存在判定手段が存在すると判定した場合に、前記描画ストロークを対象ストロークと特定する対象ストローク特定手段、
前記対象ストローク及び前記消去ストロークに基づいて、前記対象ストロークの一部又は全部を、前記図形に必要な認識ストロークと特定する認識ストローク特定手段、
前記対象ストローク及び前記消去ストロークに基づいて、前記対象ストロークの一部又は全部を、消去する対象である破棄ストロークと特定する破棄ストローク特定手段、
前記破棄ストロークを消去する破棄ストローク消去手段、として前記コンピュータを機能させることを特徴とするプログラム。
【請求項８】
インクペンユニット及び光学的にドットパターンを読み取る読取ユニットを備える電子ペンにより記入される電子ペン用帳票であって、
前記帳票は、図形が記入される描画エリアと、図形を構成する描画ストロークを記入することを示す描画項目及び前記描画ストロークを消去するための消去ストロークを記入することを示す消去項目とから構成される項目選択エリアとを有することを特徴とする電子ペン用帳票。
【発明の詳細な説明】
【技術分野】
【０００１】
本発明は、電子ペン用帳票に記入された情報の一部又は全部を消去するための技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」と呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入情報（「ストロークデータ」ともいう）が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。
【０００３】
しかし、現在、電子ペンにはデータ消去機能が搭載されていないため、電子ペン用帳票上での電子ペンの操作により、利用者が必要に応じて記入情報の一部又は全部を消去することは不可能であった。
【０００４】
なお、タブレット等のペン型入力インタフェースでは、データ消去を行いたい箇所をなぞることにより、重複した部分を消去する技術が知られている（例えば、特許文献１）。しかし、現在の技術では、任意の範囲に存在するデータであっても、一括で消去することはできず、データ消去を行いたい箇所をそれぞれ個々になぞることで消去しなければならなかった。即ち、データの消去に余計な手間を要していた。
【０００５】
【特許文献１】特開平５−２７４４１２号公報
【発明の開示】
【発明が解決しようとする課題】
【０００６】
本発明は、以上の点に鑑みてなされたものであり、電子ペン用帳票に記入された情報の一部又は全部を、当該電子ペン用帳票上での電子ペンの操作により、容易に消去することができる消去処理システムを提供することを課題とする。
【課題を解決するための手段】
【０００７】
本発明の１つの観点では、電子ペンにより認識可能なドットパターンが印刷された電子ペン用帳票に記入された情報の一部又は全部を消去する消去処理装置であって、前記帳票は、図形が記入される描画エリアと、図形を構成する描画ストロークを記入することを示す描画項目及び前記描画ストロークを消去するための消去ストロークを記入することを示す消去項目とから構成される項目選択エリアとを有しており、前記描画エリアと、前記項目選択エリアを構成する前記描画項目及び前記消去項目とに対応付けて、前記ドットパターン上のそれぞれの位置座標を座標情報として記憶する座標情報記憶手段と、前記電子ペンにより、前記描画エリア及び前記項目選択エリアに記入された記入情報を取得する記入情報取得手段と、前記座標情報及び前記記入情報に基づいて、前記描画項目に記入されたチェックマークを描画チェックマークとして特定する描画チェックマーク特定手段と、前記座標情報及び前記記入情報に基づいて、前記描画チェックマークが記入された後、前記描画エリアに記入されたストロークを描画ストロークとして抽出する描画ストローク抽出手段と、前記座標情報及び前記記入情報に基づいて、前記消去項目に記入されたチェックマークを消去チェックマークとして特定する消去チェックマーク特定手段と、前記座標情報及び前記記入情報に基づいて、前記消去チェックマークが記入された後、前記描画エリアに記入されたストロークを消去ストロークとして抽出する消去ストローク抽出手段と、前記消去ストローク内に、一部又は全部が含まれている前記描画ストロークが存在するか否かを判定する描画ストローク存在判定手段と、前記描画ストローク存在判定手段が存在すると判定した場合に、前記描画ストロークを対象ストロークと特定する対象ストローク特定手段と、前記対象ストローク及び前記消去ストロークに基づいて、前記対象ストロークの一部又は全部を、前記図形に必要な認識ストロークと特定する認識ストローク特定手段と、前記対象ストローク及び前記消去ストロークに基づいて、前記対象ストロークの一部又は全部を、消去する対象である破棄ストロークと特定する破棄ストローク特定手段と、前記破棄ストロークを消去する破棄ストローク消去手段と、を備える。
【０００８】
上記のように構成された消去処理装置において、利用者は、まず、電子ペンを使用して電子ペン用帳票に記入を行う。ここで、電子ペン用帳票は、図形が記入される描画エリアと、描画項目及び消去項目から構成される項目選択エリアとを有している。ここで、項目選択エリアとは、描画エリアに描画ストロークの記入、又は、描画ストロークを消去する範囲を示す消去ストロークの記入のいずれを行うかを選択するエリアである。即ち、動作モードを選択するエリアである。動画モードの選択は、各項目に電子ペンでチェックマークを記入することにより行われる。具体的に、利用者は、描画項目にチェックマークを記入した直後、描画エリアに任意の図形を構成する描画ストロークを記入する。また、描画ストロークの一部又は全部を消去したい場合、利用者は、消去項目にチェックマークを記入した直後、描画エリアに消去したい描画エリアを内包する消去ストロークを記入する。消去ストロークは、消去したい範囲を指定する円等である。利用者が電子ペンにより記入した情報は、記入情報として消去処理装置に取得される。ここで、消去処理装置とは、記入情報に基づいて、描画ストロークの一部又は全部を消去する処理を行う消去処理プログラムを有するＰＣ（Personal Computer）やサーバのことである。
【０００９】
消去処理装置は、まず、取得した記入情報及び座標情報に基づいて、描画項目に記入された描画チェックマークを特定する。さらに、消去処理装置は、記入情報に含まれる時間情報に基づいて、当該記入情報から、描画チェックマークが記入された後に描画エリアに記入されたストロークを描画ストロークとして抽出する。また、消去処理装置は、取得した記入情報及び座標情報に基づいて、消去項目に記入された消去チェックマークを特定する。さらに、消去処理装置は、記入情報に含まれる時間情報に基づいて、当該記入情報から、消去チェックマークが記入された後に描画エリアに記入されたストロークを消去ストロークとして抽出する。ここで、時間情報とは、各ストロークが記入された時刻を示す情報であり、電子ペンから取得する記入情報に含まれている。そして、消去処理装置は、消去ストローク内に、一部又は全部が含まれている描画ストロークが存在するか否かを判定する。含まれていない場合、消去処理装置は、消去する対象がないものとして消去処理を終了する。一方、含まれている場合、消去処理装置は、消去ストローク内に含まれている描画ストロークを対象ストロークと特定する。さらに、消去処理装置は、対象ストロークと消去ストロークの位置座標に基づいて、当該対象ストロークの一部又は全部を、図形に必要な認識ストロークと特定する。同様に、消去処理装置は、対象ストロークと消去ストロークの位置座標に基づいて、当該対象ストロークの一部又は全部を、消去の対象である破棄ストロークと特定する。そして、消去処理装置は、破棄ストロークのデータを消去する。
【００１０】
これによれば、消去処理装置は、電子ペン用帳票に記入された情報の一部又は全部を、当該電子ペン用帳票上での電子ペンの操作により、容易に消去することができる。
【００１１】
上記消去処理装置の一態様では、前記対象ストローク特定手段は、前記描画ストローク存在判定手段が存在すると判定した場合に、前記消去ストロークよりも前に記入された前記描画ストロークのみを対象ストロークと特定する。これによれば、消去処理装置は、消去ストローク内に存在する描画ストロークであっても、当該消去ストロークの後に記入された描画ストロークは対象ストロークと特定しない。即ち、消去ストロークの後に記入された描画ストロークが、当該消去ストロークに関する消去処理によって消去されることはない。よって、消去処理装置は、適切に利用者が不要と判断した描画ストロークのデータのみを消去することができる。
【００１２】
上記消去処理装置の他の一態様では、前記対象ストロークが開始する位置を示す開始点を特定する開始点特定手段と、前記対象ストロークが終了する位置を示す終了点を特定する終了点特定手段と、前記開始点及び前記終了点に基づいて、前記消去ストローク内に前記対象ストロークの全部が内包されるか又は前記対象ストロークの一部が内包されるかを判定する対象ストローク内包判定手段をさらに備え、前記対象ストローク内包判定手段が、前記消去ストローク内に前記対象ストロークの全部が内包されると判定した場合に、前記破棄ストローク特定手段は、当該描画ストロークの全部を破棄ストロークと特定する。
【００１３】
上記のように構成された消去処理装置は、対象ストロークの位置座標を解析することにより、当該対象ストロークが開始する位置を示す開始点及び終了する位置を示す終了点を特定する。さらに、消去処理装置は、対象ストロークにおける開始点から終了点までの全ての点が、消去ストローク内に存在するか否かを判定する。つまり、対象ストロークの全部が消去ストロークに内包されるか、又は、対象ストロークの一部が消去ストロークに内包されるかを判定する。そして、消去処理装置は、対象ストロークの全部が消去ストロークに内包される場合、当該対象ストロークの全部を破棄ストロークと特定する。即ち、消去ストロークに内包される対象ストロークのデータ全部を消去する。よって、消去処理ストロークは、利用者が指定した範囲に含まれる描画ストロークを、容易に一括で消去することができる。
【００１４】
上記消去処理装置の他の一態様では、前記対象ストローク内包判定手段が、前記消去ストローク内に前記対象ストロークの一部が内包されると判定した場合に、前記消去ストローク及び前記対象ストロークの重複点を特定する重複点特定手段と、前記重複点に基づいて、前記対象ストロークを複数の分割ストロークに分割する分割手段と、をさらに備え、前記認識ストローク特定手段は、前記消去ストローク内に内包されない前記分割ストロークを認識ストロークに特定し、前記消去ストローク特定手段は、前記消去ストローク内に内包される前記分割ストロークを消去ストロークに特定する。
【００１５】
上記のように構成された消去処理装置は、対象ストロークの一部が消去ストロークに内包されると判定した場合、位置座標を解析することにより、当該対象ストロークと消去ストロークが重なる点である重複点を特定する。さらに、消去処理装置は、重複点に基づいて、対象ストロークを１つ以上の分割ストロークに分割する。具体的に、重複点が２点の場合、消去処理装置は、当該重複点を基準として３つの分割ストロークに分割する。そして、消去処理装置は、消去ストローク内に内包されない分割ストローク、即ち消去ストロークの外側に位置する分割ストロークを、図形を構成する認識ストロークと特定する。一方、消去ストローク内に内包される分割ストローク、即ち消去ストロークの内側に位置する分割ストロークを、消去の対象となる破棄ストロークと特定する。つまり、消去処理装置は、消去ストローク内に内包される一部を分離するために、対象ストロークを複数の分割ストロークに分割する。これによれば、利用者が指定した範囲に含まれる描画ストロークの一部分を、容易に消去することができる。つまり、指定した範囲内に、図形の一部分が存在している場合は、重複箇所のみの消去を行う。
【００１６】
上記消去処理装置の他の一態様では、前記認識ストロークを記憶する認識ストローク記憶手段をさらに備え、前記認識ストローク記憶手段は、前記認識ストロークに特定された１つ以上の分割ストロークを記憶する。これによれば、消去処理装置は、利用者が描画エリアに記入した図形に関する図形データを、消去したい部分を含めた１つの描画ストロークではなく、消去した部分を除いた複数の描画ストロークとして記憶している。換言すると、利用者が消去したい部分を全く含まない描画ストロークのみを図形データとして記憶することができる。
【００１７】
上記消去処理装置のさらに他の一態様では、前記描画ストローク抽出手段は、前記描画チェックマークが記入された後であって、且つ、前記消去チェックマークが記入される前に、前記描画エリアに記入されたストロークを描画ストロークとして抽出し、前記消去ストローク抽出手段は、前記消去チェックマークが記入された後であって、且つ、前記描画チェックマークが記入される前に、前記描画エリアに記入されたストロークを消去ストロークとして抽出する。
【００１８】
上記消去処理装置において使用される電子ペン用帳票は、描画ストロークと消去ストロークの記入が、利用者の任意のタイミングで行われる。よって、描画チェックマークが記入された後、且つ、消去チェックマークが記入される前に、描画エリアに記入されたストロークを描画ストロークと特定する。また、消去チェックマークが記入された後、且つ、描画チェックマークが記入される前に、描画エリアに記入されたストロークを消去ストロークと特定する。これにより、消去処理装置は、所定のストロークが描画ストローク又は消去ストロークのいずれであるかを明確に特定することができ、図形に必要なストロークを破棄ストロークとして消去してしまうといったミスを減少させることができる。
【００１９】
本発明の別の観点では、電子ペンにより認識可能なドットパターンが印刷された電子ペン用帳票に記入された情報の一部又は全部を消去するコンピュータにより実行されるプログラムであって、前記帳票は、図形が記入される描画エリアと、図形を構成する描画ストロークを記入することを示す描画項目及び前記描画ストロークを消去するための消去ストロークを記入することを示す消去項目とから構成される項目選択エリアとを有しており、前記描画エリアと、前記項目選択エリアを構成する前記描画項目及び前記消去項目とに対応付けて、前記ドットパターン上のそれぞれの位置座標を座標情報として記憶する座標情報記憶手段、前記電子ペンにより、前記描画エリア及び前記項目選択エリアに記入された記入情報を取得する記入情報取得手段、前記座標情報及び前記記入情報に基づいて、前記描画項目に記入されたチェックマークを描画チェックマークとして特定する描画チェックマーク特定手段、前記座標情報及び前記記入情報に基づいて、前記描画チェックマークが記入された後、前記描画エリアに記入されたストロークを描画ストロークとして抽出する描画ストローク抽出手段、前記座標情報及び前記記入情報に基づいて、前記消去項目に記入されたチェックマークを消去チェックマークとして特定する消去チェックマーク特定手段、前記座標情報及び前記記入情報に基づいて、前記消去チェックマークが記入された後、前記描画エリアに記入されたストロークを消去ストロークとして抽出する消去ストローク抽出手段、前記消去ストローク内に、一部又は全部が含まれている前記描画ストロークが存在するか否かを判定する描画ストローク存在判定手段、前記描画ストローク存在判定手段が存在すると判定した場合に、前記描画ストロークを対象ストロークと特定する対象ストローク特定手段、前記対象ストローク及び前記消去ストロークに基づいて、前記対象ストロークの一部又は全部を、前記図形に必要な認識ストロークと特定する認識ストローク特定手段、前記対象ストローク及び前記消去ストロークに基づいて、前記対象ストロークの一部又は全部を、消去する対象である破棄ストロークと特定する破棄ストローク特定手段、前記破棄ストロークを消去する破棄ストローク消去手段、として前記コンピュータを機能させる。
【００２０】
上記プログラムをコンピュータにより実行することにより、上述の消去処理装置を実現することができる。また、上述の消去処理装置の各態様も同様に実現することができる。
【００２１】
本発明のさらに別の観点では、インクペンユニット及び光学的にドットパターンを読み取る読取ユニットを備える電子ペンにより記入される電子ペン用帳票であって、前記帳票は、図形が記入される描画エリアと、図形を構成する描画ストロークを記入することを示す描画項目及び前記描画ストロークを消去するための消去ストロークを記入することを示す消去項目とから構成される項目選択エリアとを有する。これによれば、電子ペンが読取可能な専用ペーパーである電子ペン用帳票は、描画エリア及び項目選択エリアを有している。ここで、描画エリアとは、利用者が電子ペンにより任意の図形を記入するエリアである。一方、項目選択エリアは、描画項目及び消去項目から構成され、各項目に電子ペンでチェックマークが記入されることにより動作モードの選択が行われるエリアである。描画項目とは、図形を構成する描画ストロークを記入することを示す項目であり、描画ストロークを描画エリアに記入する直前にチェックマークが記入される。一方、消去項目とは、描画ストロークを消去するための消去ストロークを記入することを示す項目であり、消去ストロークを描画エリアに記入する直前にチェックマークが記入される。具体的に、消去ストロークは円等の一定の範囲を示すストロークであって、所定の端末装置やサーバは、消去ストロークに内包される描画ストロークを消去する。つまり、描画エリア及び項目選択エリアを有する電子ペン用帳票に記入された記入情報に基づいて、所定の端末装置やサーバは、当該記入情報の一部又は全部を容易に消去することが可能となる。
【発明の効果】
【００２２】
本発明によれば、電子ペン用帳票に記入された情報の一部又は全部を、当該電子ペン用帳票上での電子ペンの操作により、容易に消去することができる。
【発明を実施するための最良の形態】
【００２３】
以下、図面を参照して本発明の好適な実施の形態について説明する。まず、本発明のシステムにおいて入力デバイスとして使用される電子ペンの概要について説明する。
【００２４】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２５】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００２６】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２７】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２８】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００２９】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００３０】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００３１】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００３２】
バッテリー１４は電子ペン１０内の各要素に電源供給するためのものであり、例えば電子ペンのキャップ（図示せず）により電子ペン１０自体の電源のオン／オフを行うことができる。
【００３３】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３４】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００３５】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００３６】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３７】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３８】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００３９】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００４０】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００４１】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００４２】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００４３】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００４４】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００４５】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００４６】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４７】
なお、本明細書においては、「印刷」の語は、通常の印刷のみならず、プリンタによるプリントも含む概念とする。
【００４８】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入情報を受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入情報をそのサービスサーバ２７へ送信することになる。
【００４９】
なお、上記の例では端末装置２５、問い合わせサーバ２６及びサービスサーバ２７が別個に構成されているが、これらの幾つか又は全てを１つの装置として構成することも可能である。本実施形態において後述するサーバは、問い合わせサーバ２６及びサービスサーバ２７を兼ねていることとしている。また、本実施形態では、記入情報には、ストロークデータ、時間情報及びペンＩＤが含まれているものとする。
【００５０】
[消去処理システム]
次に、本発明の消去処理システムについて説明する。図７に消去処理システム１００の概略構成を示す。図７に示す消去処理システム１００は、上記専用ペーパーである電子ペン用帳票（以下、「帳票」と呼ぶ。）３を使用する。消去処理システム１００は、帳票３に記入された記入情報の一部又は全部を、電子ペン１０による帳票３への記入により、容易に消去するものである。
【００５１】
図７に示すように、消去処理システム１００は、端末装置２５及びサーバ５がネットワーク２を通じて接続されることにより構成される。ここで、ネットワーク２の１つの好適な例はインターネットである。また、端末装置２５とは、利用者が使用するパーソナルコンピュータやＰＤＡ（Personal Digital Assistants）といったネットワーク２を介してデータの授受が可能な端末である。
【００５２】
まず、図８乃至図１１を参照して、本システムにおける記入情報の消去方法の概要を述べておく。図８は、帳票３の例である。図９は、描画ストローク及び消去ストロークが記入された帳票３の例である。図１０は、描画ストローク及び消去ストロークに基づいて対象ストロークを特定する処理を説明する図である。図１１は、破棄ストロークを特定して消去する処理を説明する図である。具体的に、本システムは、帳票３に記入した記入情報の一部又は全部を、当該電子ペン１０による記入により、容易に消去することができる。
【００５３】
利用者は、図８に示すような帳票３に、電子ペン１０を使用して記入を行う。図示のように、帳票３は、図形が記入される描画エリア５０と、描画エリア５０に対して「描画」を行うか「消去」を行うかといった動作モードの選択を行う項目選択エリア５３とを有している。ここで、項目選択エリア５３は、描画項目５１及び消去項目５２から構成され、動作モードの選択は各項目に電子ペン１０でチェックマークを記入することにより行われる。描画項目５１とは、図形を構成する描画ストロークを記入することを示す項目であり、描画ストロークを描画エリア５０に記入する直前にチェックマークが記入される。一方、消去項目５２とは、描画ストロークを消去するための消去ストロークを記入することを示す項目であり、消去ストロークを描画エリア５０に記入する直前にチェックマークが記入される。具体的に、消去ストロークは円等の一定の範囲を示すストロークであって、サーバ５は、消去ストロークに内包される描画ストロークを消去するものである。
【００５４】
利用者は、図９（ａ）に示すように、項目選択エリア５３内の描画項目５１にチェックマークを記入した後、描画エリア５０に、任意の図形を構成する描画ストローク５５を記入する。また、描画ストロークの一部又は全部を消去したい場合、利用者は、図９（ｂ）に示すように、項目選択エリア５３内の消去項目５２にチェックマークを記入した後、描画エリア５０に、消去したい箇所を囲む消去ストローク５６を記入する。記入が終了すると、利用者は、電子ペン１０を使用して送信ボックス（以下、「送信項目」とも呼ぶ。）３９にチェックマークを記入する。送信ボックスは、上述のとおり、電子ペン１０内に記憶されているデータを近傍の端末装置２５へ送信するための指示を行う際にチェックマークが記入される項目である。
【００５５】
電子ペン１０は、記入された内容に対応するストロークデータを取得し、電子ペン１０内のメモリに一時的に記憶した後、当該ストロークデータを端末装置２５へ送信する。端末装置２５は、電子ペン１０から、帳票３に記入されたストロークデータを受信し、ネットワーク２を通じてサーバ５へ送信する。サーバ５は、ストロークデータを、利用者が帳票３に記入した内容に関する記入情報として取得する。
【００５６】
サーバ５は、後述する座標テーブルに基づいて、取得した記入情報から、描画項目５１に記入された描画チェックマークを特定する。さらに、サーバ５は、時間情報に基づいて記入情報から、描画チェックマークが記入された後に、描画エリア５０に記入されたストロークを描画ストロークとして抽出する。また、サーバ５は、後述する座標テーブルに基づいて、取得した記入情報から、消去項目５２に記入された消去チェックマークを特定する。さらに、サーバ５は、時間情報に基づいて記入情報から、消去チェックマークが記入された後に、描画エリア５０に記入されたストロークを消去ストロークとして抽出する。
【００５７】
なお、描画ストロークは、描画項目５１に描画チェックマークが記入された後、消去項目５２に消去チェックマークが記入されるまでの間に、描画エリア５０に記入されたストロークである。同様に、消去ストロークは、消去項目５１に消去チェックマークが記入された後、描画項目５１に描画チェックマークが記入されるまでの間に、描画エリア５０に記入されたストロークである。
【００５８】
また、消去ストロークは、描画エリア５０に必ず記入されるものではなく、利用者が描画ストロークの一部又は全部を消去したい場合にのみ記入されるものである。よって、サーバ５は、図１０（ａ）に示すように、描画エリア５０内に消去ストロークが存在するか否かを判定する。そして、消去ストローク５６が存在する場合にのみ、サーバ５は、消去処理を行う。図１０（ａ）では、説明の便宜上、消去ストローク５６を実線、描画ストロークを破線で表現している。
【００５９】
次に、サーバ５は、図１０（ｂ）に示すように、消去ストローク内に、描画ストロークの一部又は全部が存在するか否かを判定する。存在していない場合、サーバ５は、消去する対象がないものとして消去処理を終了する。一方、図示のように存在している場合、サーバ５は、消去ストロークに一部でも含まれている描画ストロークを、消去処理の対象となる対象ストロークと特定する。図１０（ｂ）では、説明の便宜上、描画ストローク５５を実線、消去ストロークを破線で表現している。
【００６０】
さらに、図１０（ｃ）に示すように、サーバ５は、対象ストロークを解析し、当該対象ストロークの開始点６０及び終了点６１を特定する。図１０（ｃ）では、説明の便宜上、対象ストロークを丸（○）の集合体として表現している。そして、サーバ５は、特定した開始点６０及び終了点６１に基づいて、対象ストロークを構成する全ての点が、消去ストローク５６が示す範囲内に存在しているか否かを判定する。換言すると、サーバ５は、対象ストロークの全部が消去ストローク５６に内包されているか否かを判定する。対象ストロークの全部が内包されている場合、サーバ５は、当該対象ストロークを、消去の対象となる破棄ストロークと特定する。一方、図１０（ｃ）に示すように対象ストロークの一部が内包されている場合、サーバ５は、図１０（ｄ）に示すように、当該対象ストロークと消去ストローク５６を解析し、それぞれのストロークが重なっている点を重複点６２及び６３として特定する。
【００６１】
そして、サーバ５は、図１１（ａ）及び（ｂ）に示すように、重複点に基づいて、対象ストロークを複数の分割ストローク５５ａ、５５ｂ、及び５５ｃに分割する。サーバ５は、消去ストローク５６に内包されない分割ストローク５５ａ及び５５ｃを、図形に必要な認識ストロークと特定する。また、サーバ５は、消去ストローク５６に内包される分割ストローク５５ｂを、消去の対象となる破棄ストロークと特定する。つまり、サーバ５は、重複点に基づいて、対象ストロークを分割することにより、消去ストローク５６に内包されないストロークと消去ストロークに内包されるストロークとを分離する。最後に、サーバ５は、破棄ストロークのデータを消去する。具体的には、図１１（ｃ）に示すように、認識ストロークと特定された分割ストローク５５ａ及び５５ｃは残り、消去ストロークと特定された分割ストローク５５ｂのみが消去される。
【００６２】
なお、サーバ５は、認識ストロークのデータを、利用者が記入した図形に関する図形データとして記憶することとしてもよい。この場合、サーバ５は、認識ストロークと特定された分割ストローク５５ａ及び５５ｃを図形データとして記憶する。即ち、サーバ５は、１つの対象データとしてではなく、２つの分割データ（認識データ）として図形を構成するストロークを記憶している。
【００６３】
これにより、サーバ５は、データ上、帳票３に記入された描画ストロークの一部又は全部を、同じ帳票３に電子ペン１０で記入された消去ストロークに基づいて容易に消去することができる。
【００６４】
[サーバ]
次に、サーバ５について詳しく説明する。図１２は、消去処理システム１００におけるサーバ５の内部構成を示す。図示のように、サーバ５は、消去処理プログラム１０１、記入情報取得機能１０２、座標テーブル１０３、描画チェックマーク特定機能１０４、描画ストローク抽出機能１０５、消去チェックマーク特定機能１０６、消去ストローク抽出機能１０７、消去ストローク存在判定機能１０８、描画ストローク存在判定機能１０９、開始点・終了点特定機能１１０、対象ストローク内包判定機能１１１、重複点特定機能１１２、対象ストローク分割機能１１３及び破棄ストローク消去機能１１４から構成されている。なお、各機能は、サーバ５が有するＣＰＵが予め用意されたプログラムを実行することにより実現される。
【００６５】
消去処理プログラム１０１は、帳票３に記入された描画ストロークの一部又は全部を、電子ペン１０を使用して記入した消去ストロークに基づいて消去するプログラムである。
【００６６】
記入情報取得機能１０２は、消去処理プログラム１０１を実行することにより、利用者が電子ペン１０を使用して帳票３に記入した記入情報を取得する機能である。
【００６７】
ここで、座標テーブル１０３について図１３を参照して説明する。図１３は、座標テーブル１０３のデータ構造を模式的に示す図である。図示のとおり、座標テーブル１０３は、エリアＩＤ、エリア名、項目ＩＤ、項目名及び座標データから構成されている。エリアＩＤとは、描画エリア５０及び項目選択エリア５３をそれぞれ識別する情報である。エリア名とは、エリアの名称であり、「描画エリア」又は「項目選択エリア」のいずれかである。項目ＩＤとは、項目選択エリア５３を構成する各項目、即ち描画項目５１、消去項目５２及び送信項目３９をそれぞれ識別する情報である。項目名とは、項目の名称であり、「描画項目」、「消去項目」及び「送信項目」のいずれかである。座標データは、帳票３に印刷されたドットパターン上における描画エリア５０と、項目選択エリア５３を構成する各項目の配置を示す位置情報である。
【００６８】
描画チェックマーク特定機能１０４は、記入情報取得機能１０２が取得した記入情報及び座標テーブル１０３に基づいて、描画項目５１に記入されたチェックマークを特定する機能である。
【００６９】
描画ストローク抽出機能１０５は、描画チェックマーク特定機能１０４が特定した描画チェックマークに基づいて、記入情報から描画ストロークを抽出する機能である。具体的に、描画ストローク抽出機能１０５は、描画チェックマークが記入された時刻に基づいて、当該描画チェックマークの後に描画エリア５０に記入されたストロークを描画ストロークとして記入情報から抽出する。なお、描画ストローク抽出機能１０５は、帳票３に後述する消去チェックマークが記入されている場合、描画チェックマークの後であって消去チェックマークの前に描画エリア５０に記入されたストロークを描画ストロークとして記入情報から抽出する。
【００７０】
消去チェックマーク特定機能１０６は、記入情報取得機能１０２が取得した記入情報及び座標テーブル１０３に基づいて、消去項目５２に記入されたチェックマークを特定する機能である。
【００７１】
消去ストローク抽出機能１０７は、消去チェックマーク特定機能１０６が特定した消去チェックマークに基づいて、記入情報から消去ストロークを抽出する機能である。具体的に、消去ストローク抽出機能１０７は、消去チェックマークが記入された時刻に基づいて、当該消去チェックマークの後に描画エリア５０に記入されたストロークを消去ストロークとして記入情報から抽出する。なお、消去ストローク抽出機能１０７は、消去チェックマークが記入された後、さらに描画チェックマークが記入された場合、消去チェックマークの後であって描画チェックマークの前に描画エリア５０に記入されたストロークを消去ストロークとして記入情報から抽出する。
【００７２】
消去ストローク存在判定機能１０８は、消去ストローク抽出機能１０７が消去ストロークを抽出したか否かを判定する機能である。利用者は、描画ストロークの一部又は全部を消去したい場合にのみ、消去ストロークを記入する。つまり、描画エリア５０に必ず消去ストロークが記入されるとは限らない。消去ストロークが存在しない場合には、消去処理を行う必要はないため、消去ストローク存在判定機能１０８は、描画エリア５０内に消去ストロークが存在しているか否かを判定する。
【００７３】
描画ストローク存在判定機能１０９は、消去ストローク存在判定機能１０７が、消去ストロークが存在していると判定した場合に、当該消去ストローク内に一部又は全部が含まれる描画ストロークが存在するか否かを判定する機能である。描画ストローク存在判定機能１０９は、さらに時間判定機能及び対象ストローク特定機能を有している。時間判定機能は、時間情報に基づいて、消去ストローク内に一部又は全部が含まれる描画ストロークが、当該消去ストロークの記入時刻より前に記入されていることを確認する機能である。対象ストローク特定機能は、消去ストロークの記入時刻より前に記入され、当該消去ストローク内に一部又は全部が含まれる描画ストロークが存在する場合に、当該描画ストロークを対象ストロークと特定する機能である。つまり、消去ストロークの記入時刻よりも後に記入された描画ストロークは、たとえ当該消去ストローク内に一部又は全部が含まれていたとしても、対象ストロークに特定されることはない。
【００７４】
例えば、図１４に示すように、描画ストローク５５、消去ストローク５６、描画ストローク７０の順番で記入が行われた場合、描画ストローク存在判定機能１０９は、消去ストローク５６より前に記入された描画ストローク５５のみを対象ストロークと特定し、消去ストローク５６より後に記入された描画ストローク７０は対象ストロークとはしない。よって、サーバ５は、図示のように、対象ストロークに特定された描画ストローク５５の一部のデータのみを消去する。
【００７５】
開始点・終了点特定機能１１０は、描画ストローク存在判定機能１０９が、消去ストローク内に一部又は全部が含まれる描画ストロークが存在すると判定した場合に、座標データを解析することにより、対象ストロークの開始点及び終了点を特定する機能である。
【００７６】
対象ストローク内包判定機能１１１は、開始点・終了点特定機能１１０が特定した対象ストロークにおける開始点及び終了点までの全ての点が、消去ストロークの内側に存在するか否かを判定する機能である。換言すると、対象ストローク内包判定機能１１１は、対象ストロークの全部が消去ストロークに内包されるか、又は、対象ストロークの一部が消去ストロークに内包されるかを判定する機能である。対象ストロークの全部が消去ストロークに内包されると判定した場合、対象ストローク内包判定機能１１１は、当該対象ストロークの全部を消去の対象となる破棄ストロークと特定する。
【００７７】
重複点特定機能１１２は、対象ストローク内包判定機能１１１が、対象ストロークの一部が消去ストロークに内包されると判定した場合に、座標データを解析することにより、対象ストロークと消去ストロークが重なる点である重複点を特定する機能である。
【００７８】
対象ストローク分割機能１１３は、重複点特定機能１１２が特定した重複点に基づいて、対象ストロークを複数の分割ストロークに分割する機能である。また、対象ストローク分割機能は、さらに、認識ストローク特定機能及び破棄ストローク特定機能を有している。認識ストローク特定機能は、消去ストロークに内包されない部分、即ち消去ストロークの外側に存在する分割ストロークを認識ストロークと特定する機能である。破棄ストローク特定機能は、消去ストロークに内包される部分、即ち消去ストロークの内側に存在する分割ストロークを破棄ストロークと特定する機能である。
【００７９】
破棄ストローク消去機能１１４は、対象ストローク内包判定機能１１１及び対象ストローク分割機能１１３がそれぞれ特定した破棄ストロークのデータを消去する機能である。
【００８０】
[消去処理]
次に、消去処理システム１００により実行される消去処理について説明する。図１５は、消去処理のフローチャートである。
【００８１】
利用者は、まず、電子ペン１０を使用して、図８に示す帳票３に記入を行う。具体的に、利用者は、項目選択エリア５３を構成する描画項目５１にチェックマークを記入した後、描画エリア５０内に任意の図形を記入する。ここで、描画エリア５０内に記入された図形を構成するストロークは描画ストロークである。また、利用者は、描画ストロークの一部又は全部を消去したい場合、項目選択エリア５３を構成する消去項目５２にチェックマークを記入した後、消去したい描画ストロークを囲むような記入を行う。ここで、消去したい描画ストロークを示すストロークは消去ストロークである。このように、利用者は、描画ストローク及び消去ストロークを帳票３の描画エリア５０に記入することにより、図形を記入する。そして、記入が終了すると、利用者は、電子ペン１０を使用して送信ボックス３９にチェックマークを記入することにより、端末装置２５を介して記入情報をサーバ５へ送信する。
【００８２】
サーバ５は、端末装置２５から記入情報を取得する（ステップＳ１）。そして、サーバ５は、記入情報及び座標情報に基づいて、描画項目５１に記入された描画チェックマークを特定する。描画チェックマークが特定された場合、サーバ５は、当該描画チェックマークが記入された後、描画エリア５０に記入されたストロークを描画ストロークとして抽出する（ステップＳ２）。また、サーバ５は、記入情報及び座標情報に基づいて、消去項目５２に記入された消去チェックマークを特定する。消去チェックマークが特定された場合、サーバ５は、当該消去チェックマークが記入された後、描画エリア５０に記入されたストロークを消去ストロークとして抽出する（ステップＳ３）。ここで、サーバ５は、消去ストロークが存在するか否かを判定する（ステップＳ４）。消去ストロークは、描画ストロークの一部又は全部を消去するために記入するものであって、必ず描画エリア５０内に存在しているとは限らないからである。消去ストロークが存在しない場合（ステップＳ４；Ｎｏ）、サーバ５は、消去処理を終了する。一方、消去ストロークが存在する場合（ステップＳ５；Ｙｅｓ）、サーバ５は、消去ストローク内に、一部又は全部が含まれる描画ストロークが存在するか否かを判定する（ステップＳ５）。描画ストロークが存在しない場合（ステップＳ５；Ｎｏ）、サーバ５は、消去処理を終了する。一方、描画ストロークが存在する場合（ステップＳ５；Ｙｅｓ）、サーバ５は、描画ストロークを対象ストロークと特定し、座標データを解析することにより当該対象ストロークの開始点及び終了点を特定する（ステップＳ６）。
【００８３】
サーバ５は、特定した開始点及び終了点に基づいて、対象ストロークの全部が消去ストロークに内包されるか否かを判定する（ステップＳ７）。対象ストロークの全部が消去ストロークに内包される場合（ステップＳ７；Ｙｅｓ）、サーバ５は、対象ストロークを破棄ストロークに特定する（ステップＳ１１）。一方、対象ストロークの全部が消去ストロークに内包されない場合、換言すると対象ストロークの一部が消去ストロークに内包される場合（ステップＳ７；Ｎｏ）、サーバ５は、消去ストロークと対象ストロークの重なる点である重複点を特定する（ステップＳ８）。さらに、サーバ５は、重複点に基づいて、対象ストロークを複数の分割ストロークに分割する。このとき、サーバ５は、消去ストロークに内包されない、即ち消去ストロークの外側に存在する分割ストロークを、図形を構成する認識ストロークと特定する。サーバ５は、認識ストロークのみを、利用者が記入した図形に関する図形データとして記憶する。一方、消去ストロークに内包される、即ち消去ストロークの内側に存在する分割ストロークを、消去の対象となる破棄ストロークと特定する（ステップＳ９）。そして、サーバ５は、ステップＳ９及びＳ１１において特定された破棄ストロークのデータを消去する（ステップＳ１０）。これにより、消去処理は完了する。例えば、サーバ５は、消去処理を完了した後、記憶している図形データを端末装置２５に送信することで、破棄ストロークが消失した状態の図形を当該端末装置２５の画面上に表示させることができる。
【００８４】
なお、上記実施形態では、図９に示すように、描画ストロークと消去ストロークの重複点が２点の場合について説明している。しかし、本発明はこれに限定されるものではなく、図１６に示すように重複点が２点以上の場合にも、上記実施形態と同様に消去処理を行うことができる。
【００８５】
また、上記実施形態では、サーバ５が消去処理プログラム１０１を有しており、消去処理を行うこととしている。しかし、本発明はこれに限定されるものではなく、端末装置２５が消去処理プログラム１０１を有しており、上述と同様の消去処理を行うこととしてもよい。これによれば、端末装置２５はネットワーク２と接続している必要はなく、電子ペン１０から取得した記入情報に基づいて迅速に消去処理を実行することができる。この場合、端末装置２５は、上述の問い合わせサーバ２６及びサービスサーバ２７を兼ねているものとする。
【００８６】
このように、本発明によれば、帳票３に電子ペン１０で記入を行うことにより、消去を指定した範囲内に存在する図形データのみを容易に消去することができる。このとき、消去を指定した範囲内に図形の一部分が存在している場合は、重複箇所のみの消去を行う。よって、任意の範囲に存在する図形データを、個々に消去するのではなく、一括で容易に消去することが可能となる。
【産業上の利用可能性】
【００８７】
本発明によれば、電子ペン用帳票に記入された情報の一部又は全部を、当該帳票上での電子ペンの操作により、容易に消去することが可能な電子ペン用帳票として利用することができる。
【図面の簡単な説明】
【００８８】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】消去処理システムの概略構成を示す。
【図８】帳票の例である。
【図９】描画ストローク及び消去ストロークが記入された帳票の例である。
【図１０】描画ストローク及び消去ストロークに基づく対象ストロークの特定を説明する図である。
【図１１】破棄ストロークの特定及び消去を説明する図である。
【図１２】図７に示す消去処理システムに含まれるサーバの機能ブロック図である。
【図１３】座標テーブルのデータ構造を模式的に示す図である。
【図１４】描画ストローク存在判定機能による対象ストロークの特定を説明する図である。
【図１５】消去処理のフローチャートである。
【図１６】重複点が２点以上の場合の消去処理を説明する図である。
【符号の説明】
【００８９】
２…ネットワーク
３…電子ペン用帳票
５…サーバ
１０…電子ペン
１１…プロセッサ
１２…メモリ
１３…データ通信ユニット
１４…バッテリー
２５…端末装置
２６…問い合わせサーバ
２７…サービスサーバ
１００…消去処理システム
【図１】
2007102403.tif 000003
【図２】
2007102403.tif 000004
【図３】
2007102403.tif 000005
【図４】
2007102403.tif 000006
【図５】
2007102403.tif 000007
【図６】
2007102403.tif 000008
【図７】
2007102403.tif 000009
【図８】
2007102403.tif 000010
【図９】
2007102403.tif 000011
【図１０】
2007102403.tif 000012
【図１１】
2007102403.tif 000013
【図１２】
2007102403.tif 000014
【図１３】
2007102403.tif 000015
【図１４】
2007102403.tif 000016
【図１５】
2007102403.tif 000017
【図１６】
2007102403.tif 000018